(57)【要約】【課題】  就寝中フトンが邪魔になったときや起床後フトンを干したいときに、寝床上の空間にフトンのほぼ全体またはその一部を広げて保持可能とするフトン掛けを提供する。【解決手段】  アームと支柱とから成るフトン支持体複数本をベース部に立設したフトン掛けを寝床に設置し、前記アームにフトンを掛け渡すことにより寝床上の空間にフトンを広げて保持可能とする。【選択図】図１
2010188094.tif 000002
【特許請求の範囲】
【請求項１】
アームと前記アームを支える支柱とから成るフトン支持体複数本をベース部に立設したフトン掛けであって、前記アームが寝床上の空間に位置するように設置し、前記アーム複数本の全部または一部にフトンを掛け渡すことにより、寝床上の空間にフトンのほぼ全体またはその一部分を広げて保持可能とする構造であることを特徴とするフトン掛け。
【請求項２】
請求項１に記載したフトン掛けであって、前記アームのほぼ全体またはその一部分を前記支柱内部に収納可能な構造であることを特徴とするフトン掛け。
【請求項３】
請求項１または請求項２のいずれかに記載したフトン掛けであって、前記アーム先端に照明器具を設け、寝床上やその周辺を照らすことが可能な構造であることを特徴とするフトン掛け。
【発明の詳細な説明】
【技術分野】
【０００１】  本発明は、寝床上の空間にフトンを掛け渡し広げるためのフトン掛けに関するものである。
【背景技術】
【０００２】
【特許文献１】  特開平９−２９０００７号
【特許文献２】  特開２００４−２０８９８０号
【特許文献３】  実用新案登録番号第３０４３９８８号
【発明の開示】
【発明が解決しようとする課題】
【０００３】  季節の変わり目など気温の変化が大きな夜は、体に掛けるフトンや毛布などを１枚減らすか、または追加したくなることがある。しかしながら、不要となったフトンを寝床の片隅に置くのでは邪魔になり、寝床の外へ運び出すのでは労力が必要であった。また暑い夜など足の部分だけフトンを体から外したい場合もやはりその外した部分のフトンが邪魔になっていた。一方、起床後は、汗を吸ったフトンをそのまま寝床の上に置いておいたのでは湿気がなかなか抜けてくれないが、毎朝寝床からフトンを運び出して干すのは労力の要る作業であった。【０００４】  このような課題に対し、寝床上の空間にフトンを掛けたり置いたりできる器具が有効である。しかしながら従来のもの、例えば前記特許文献１の器具では、その利用方法と構造から棚の大きさが限られてしまうため、フトンは折りたたんで載せることとなり使い勝手が悪い。また起床後のフトン干しとしての利用を考えた場合も、その棚の大きさではフトンを広げるのに寝床の外側までフトンを垂らさなければならず、寝床上の空間を有効に利用できるものではなかった。【０００５】  前記特許文献２の器具は、フトンの長手方向を二つ折りにして垂直に掛けるため、フトンを完全に寝床から離すには掛ける位置がかなり高くなってしまい、その分余計な労力が必要であった。また掛けたフトンが壁となって寝床上への空気の流れを遮断するため、特に寝床の脇を部屋の壁に付けた状態で設置している場合、その反対側の脇にフトンを掛けると寝床上の空気の流れが極端に悪くなる可能性もあり、特に夏の就寝時の使用には向かないものであった。また就寝中の利用者が足の部分だけフトンを体から外したい場合、該器具では対応が困難であった。【０００６】  前記特許文献３の器具は、利用者をフトンの重みから解放するため考案されたものである。そのため設置された下肢部であってもフトンの中程に空間を設ける程度のものであり、暑さ対策としては効果が低いものであった。特に寝床上の空間にフトン全体を浮かすことは不可能であり、就寝時に体に掛けるフトンの数を調整するのに役立つものではなく、起床後にフトンを干すといったことにも利用できるものではなかった。
【課題を解決するための手段】
【０００７】  本発明は、上記課題を解決するためになされたものであり、まず請求項１の発明では、アームと前記アームを支える支柱とから成るフトン支持体複数本をベース部に立設したフトン掛けであって、前記アームが寝床上の空間に位置するように設置し、前記アーム複数本の全部または一部にフトンを掛け渡すことにより、寝床上の空間にフトンのほぼ全体またはその一部分を広げて保持可能とする構造であることを特徴とするフトン掛けを提供する。【０００８】  また請求項２の発明では、前記アームのほぼ全体またはその一部分を前記支柱内部に収納可能な構造であることを特徴とするフトン掛けを提供する。【０００９】  また請求項３の発明では、前記アーム先端に照明器具を設け、寝床上やその周辺を照らすことが可能な構造であることを特徴とするフトン掛けを提供する。【００１０】  請求項１の発明を詳細に説明すると次の通りである。前記フトンとは、毛布やタオルケット等も含めた、すなわち体に掛ける寝具の総称である。また前記寝床とは、すなわち洋式のベッドまたは和式の敷布団の寝床である。【００１１】  また該フトン支持体は、ほぼ逆Ｌ字状の形体が最も好ましく、その数は３本から５本の間の本数が好ましい。
【発明の効果】
【００１２】  本発明により、従来その一部しか利用されていなかった寝床上の空間を広く利用し、図６および図７に示すように、フトンのほぼ全体またはその一部分を横方向に広げて保持することが可能となる。【００１３】  本発明は、フトンを複数本の該アームにほぼ横方向に掛け渡すといった利用方法が可能なことから、二つ折りに垂直にぶら下げる構造のものとは違い比較的低い位置にフトンを掛ける高さを設定できる。また該支柱は寝床左右脇の片側のみに位置し、そこから延びた該アームの一端は何とも繋がっていない。これらの構造的特徴により例えば、該支柱の設置された寝床脇の反対側の脇に利用者が立ち、広げた両手に寝床上のフトンの長手縁部分を持ち、手前に引き寄せそのまま引っ繰り返すように持ち上げて、複数本の該アームに掛け渡すといった掛け方が可能となる。つまりこれはフトンの移動距離が短く、しかもその間フトンは寝床上か該アーム上のいずれかにその一部が載っている状態であるため、利用者はフトンの全重量を相手にする必要がなく比較的少ない労力でフトン掛けが行えるといった効果がある。【００１４】  本発明は、フトンを掛ける必要がない時は、図３および図９に示すように該アームを該支柱内部に収納することにより、寝床脇に該支柱数本が立つのみの、ベッド上の空間を侵すことのないものとなる。【００１５】  本発明は、該アーム先端に照明器具を設けることによって寝床上から操作可能な範囲に照明器具が設置されることとなり、就寝時の明かりの利用が容易なものとなる。
【実施例】
【００１６】  本実施例によるフトン掛けは、図１に示すように、３本のフトン支持体６をベース部１２に立設した構造であり、その詳細は次の通りである。【００１７】  先ず、フトン支持体６について説明すると次の通りである。フトン支持体６はアーム部分とそれを支える支柱部分とから成る。【００１８】  該アーム部分は、円筒から成るアーム本体１に、やはり円筒から成る延長用アーム２を内蔵し、延長用アーム２をアーム本体１に出し入れすることで該アーム全体の長さが調整可能な構造となっている。また延長用アーム２はアーム本体１内を円周方向へ回転させることでアーム本体１と固定可能な構造である。また図３から図５までに示すようにアーム本体１には、その末端より少し中程の位置にて９０度から２７０度まで角度を変えられるように関節１４を設けてあり、その関節１４のすぐ脇には孔１６を設けてある。また、延長用アーム２先端には、タッチセンサーにより明かりスイッチのオンオフが可能な球体形状の照明器具３を設けてある。【００１９】  該支柱部分における支柱４は、円筒から成りその内径がアーム本体１の外径より僅かに大きく、図３に示すようにその内部にまっすぐに伸ばしたアーム本体１のほぼ全体を収納できる構造である。また支柱４外面の途中箇所には、スライドパイプ５を直角に交差するように固着する。図４および図５に示すように、支柱４上端の一箇所には溝１７が刻んでありその位置は、３本の支柱４の内２本は、スライドパイプ５の取り付け位置に対し円周上反対側に、１本は同じ側になる。また支柱４上端円周上には、その一部が溝１７の幅分欠けたリング１５を円周方向への回動可能に設けてある。そして支柱４にアーム本体１の末端側を差し込み、関節１４を９０度に折り曲げ、アーム本体１の一部を溝１７に嵌め、リング１５を回転させ孔１６に通すことによりアーム本体１と支柱４とが固定されフトン支持体６が完成する。【００２０】  続いてベース部１２について説明すると次の通りである。図２に示すように、ベース部１２は、基台部分１１とレール部分１０とから成る。【００２１】  基台部分１１は、マットレスや敷布団等の下に差し込むタイプ、床に立てるタイプ、ベッドのサイドフレーム側面に取り付けるタイプなどが考えられるが、本実施例では床に立てるタイプを用いることとする。本実施例による基台部分１１は、ベッドフレーム１９やマットレス１８の高さに合わせレール部分１０の取り付け位置を調整可能な構造としたもので、足の部分についても高さ調整ネジ１３を利用しベッドフレーム１９へ下側から押し付けることで安定させる構造である。【００２２】  レール部分１０は、スライドパイプ５の内径より僅かに小さな外径の２本のポール７と、支柱４を直立させるための３本のガイド８と、それらを固定する支持部材９とから成り、ポール７は支持部材９に対し脱着自在な構造となっている。そしてこのレール部分１０を基台部分１１に装着することでベース部１２が完成する。【００２３】  次にフトン支持体６のベース部１２への立設についてであるが、レール部分１０より取り外した２本のポールの何れかを、３本のフトン支持体６におけるスライドパイプ５の何れかに通し、再びレール部分１０に取り付けることに��り完成する。【００２４】  これら構造により本実施例によるフトン掛けは、３本の該アームそれぞれについて、寝床脇に立つ該支柱内への収納が可能であり、また長さの調整が可能であり、また水平方向への回動およびその係止が可能であり、また寝床長手方向への移動が可能なフトン掛けとなっている。
【産業上の利用可能性】
【００２５】  本発明は、介護分野においての利用可能性がある。また洋服掛けや室内干し用の物干し竿としても利用可能性がある。
【図面の簡単な説明】
【００２６】
【図１】  本発明によるフトン掛け一実施例の斜視図である。
【図２】  本発明一設置例のベース部分を寝床足側から見た図。
【図３】  支柱内にアームを収納した状態の側面図。
【図４】  アーム関節部分の側面図。
【図５】  アーム関節部分の正面図。
【図６】  本発明の一使用例を寝床横側から見た図。
【図７】  本発明の一使用例を寝床横側から見た図。
【図８】  アームをセットした状態の斜視図である。
【図９】  支柱内にアームを収納し、寝床足側に移動させた状態の斜視図。
【符号の説明】
【００２７】  １    アーム本体
２    延長用アーム
３    照明器具
４    支柱
５    スライドパイプ
６    フトン支持体
７    ポール
８    ガイド
９    支持部材
１０  レール部分
１１  基台部分
１２  ベース部
１３  高さ調整ネジ
１４  関節
１５  リング
１６  孔
１７  溝
１８  マットレス
１９  ベッドフレーム
２０  ベッド脚
２１  フトン
【図１】
2010188094.tif 000003
【図２】
2010188094.tif 000004
【図３】
2010188094.tif 000005
【図４】
2010188094.tif 000006
【図５】
2010188094.tif 000007
【図６】
2010188094.tif 000008
【図７】
2010188094.tif 000009
【図８】
2010188094.tif 000010
【図９】
2010188094.tif 000011